(57)【特許請求の範囲】
【請求項１】
使い捨ておむつの背側部又は腹側部のサイドフラップ上に固定されて、該使い捨ておむつと共に着用される使い捨て補助吸収具であって、
吸収体及び該吸収体の少なくとも一方の面を被覆した液透過性の外層シートを備えており、
前記サイドフラップに当接される面に、使い捨て補助吸収具固定用の固定手段を有しており、
前記吸収体の両面が、液透過性の外層シートで被覆されている使い捨て補助吸収具。
【請求項２】
前記固定手段が、前記サイドフラップに機械的に係合する機械的係合手段である請求項１記載の使い捨て補助吸収具。
【請求項３】
前記サイドフラップ上に、前記使い捨ておむつの周縁部からはみ出さないように、固定可能になされている請求項１又は２記載の使い捨て補助吸収具。
【請求項４】
背側部、腹側部及びこれら両者間に位置する股下部を具備する使い捨ておむつにおいて、
少なくとも前記股下部には主たる吸収体を有しており、前記背側部又は前記腹側部のサイドフラップに、補助的吸収体が脱着自在に固定されており、
前記補助的吸収体が、請求項１〜３の何れかに記載の使い捨て補助吸収具である使い捨ておむつ。
【発明の詳細な説明】
【０００１】
【発明の属する技術分野】
本発明は、使い捨ておむつと共に着用される使い捨て補助吸収具に関する。
【０００２】
【従来の技術及び発明が解決しようとする課題】
着用時に背側に配される背側部、腹側に配される腹側部、及びこれら両者間に位置する股下部を具備し、該背側部の左右両側縁部それぞれに、ファスニングテープを有する使い捨ておむつが知られている。
斯かる使い捨ておむつにおいては、サイドフラップに吸収体が存在しないか、又はサイドフラップに吸収体が存在していてもその上面を撥水性の表面材により覆われていたため、サイドフラップは、尿等の吸収性能を有しないものであった。
使い捨ておむつの吸収性能を向上させるためには、サイドフラップにも吸収性能を持たせることが考えられるが、そのために吸収体の幅を、サイドフラップにまで拡げると、搬送安定性が低下する等、加工性に問題を生じる恐れがあり、吸収体を被覆する表面材を非撥水性のものとすると、滲み漏れが発生し易くなる等により、漏れ防止性能の低下を招く恐れがある。
【０００３】
従って、本発明の目的は、使い捨ておむつと併用することにより、使い捨ておむつの吸収性能及び漏れ防止性能を容易に向上させることができ、しかもウエスト廻りのフィット性を容易に向上させることのできる使い捨て補助吸収具、及び吸収性能及び漏れ防止性能に優れ、ウエスト廻りのフィット性にも優れた使い捨ておむつを提供することにある。
【０００４】
【課題を解決するための手段】
本発明は、使い捨ておむつの背側部又は腹側部のサイドフラップ上に固定されて、該使い捨ておむつと共に着用される使い捨て補助吸収具であって、吸収体及び該吸収体の少なくとも一方の面を被覆した液透過性の外層シートを備えており、前記サイドフラップに当接される面に、使い捨て補助吸収具固定用の固定手段を有する使い捨て補助吸収具を提供することにより、前記の目的を達成したものである。
【０００５】
また、本発明は、背側部、腹側部及びこれら両者間に位置する股下部を具備する使い捨ておむつにおいて、少なくとも前記股下部には主たる吸収体を有しており、前記背側部又は前記腹側部のサイドフラップに、補助的吸収体が脱着自在に固定されている使い捨ておむつを提供することにより、前記の目的を達成したものである。
【０００６】
【発明の実施の形態】
以下、本発明をその好ましい実施形態に基づいて説明する。
本実施形態の使い捨て補助吸収具１は、使い捨ておむつの背側部Ａ又は腹側部Ｂのサイドフラップ１１，１３上に固定されて、該使い捨ておむつと共に着用される使い捨て補助吸収具である。
【０００７】
本使い捨て補助吸収具１は、図１〜３に示すように、平面視形状が略台形状であり、扁平状に形成されている。より具体的には、使い捨て補助吸収具１は、その周縁部が、互いに平行をなす一対の両側縁部１ａ，１ａと、該両側縁部１ａ，１ａに対して直角をなす上縁部１ｂと、該両側縁部１ａ，１ａに対して所定の角度をなす下縁部１ｃとにより形成されており、上縁部１ｂと下縁部１ｃとを結ぶ方向に縦長である。
【０００８】
本発明の使い捨て補助吸収具１は、吸収体２を具備しており、該吸収体２の少なくとも一方の面が、液透過性の不織布からなる外層シート３より被覆されている。本実施形態における吸収体２は、その両面を、液透過性の不織布からなる２枚の外層シート３Ａ、３Ｂにより被覆されており、一方の外層シート３Ｂにより、サイドフラップ１１，１３に当接される面３１が形成されている。
本発明においては、吸収体２における着用時に着用者の肌側に向けられる面２ａを被覆する外層シート３Ａは、液不透過性でも良いが、本実施形態におけるように、該外層シート３Ａが液透過性であると、補助吸収具１の表面側から尿を吸収できるので、裏面側の外層シート３Ｂが液透過性であるか否かに拘わらず、吸収性能及び漏れ防止性能を向上させることができる。
また、本発明においては、吸収体２におけるサイドフラップ１１，１３側に向けられる面２ｂを被覆する外層シート３Ｂは、液不透過性でも良いが、本実施形態におけるように、該外層シート３Ｂが液透過性であると、サイドフラップに達した尿を、補助吸収具１の裏面側（サイドフラップに当接される面側）から吸収でき、排尿量が多量の場合であっても漏れを確実に防止できるので好ましい。
【０００９】
本実施形態の使い捨て補助吸収具１において、吸収体２におけるサイドフラップ１１，１３側に向けられる面２ｂを被覆する一方の外層シート３Ｂは、補助吸収具１の両側縁部１ａ，１ａにおいて、吸収体２の他方の面側に折り返されており、該外層シート３Ｂの折り返し部分３２，３２は、吸収体２における着用者の肌側に向けられる面２ａを被覆する他方の外層シート３Ａの両側縁部に積層接着されている。また、補助吸収具１の上縁部１ｂ及び下縁部１ｃにおける両外層シート３Ａ，３Ｂは、公知の接合手段により、吸収体２を介在させずに直接接合されている。
【００１０】
本使い捨て補助吸収具１は、サイドフラップ１１，１３に当接される面３１に、本補助吸収具１を、サイドフラップ１１，１３上に固定するための固定手段４を有する。
【００１１】
本実施形態における固定手段４は、使い捨ておむつ１０のサイドフラップ１１，１３の内表面に機械的に係合する機械的係合手段であり、より具体的には、表面に多数の係合突起を有し、不織布からなるサイドフラップ１１，１３の内表面に着脱自在に止着可能な機械的面ファスナーのオス部材が外層シート３上に固定されている。
固定手段４として機械的係合手段を有することにより、サイドフラップ１１，１３と補助吸収具１との間に尿等が入った場合であっても、補助吸収具１の固定状態が確実に維持される。また、着脱自在に止着可能な固定手段を有することにより、使い捨て補助吸収具１の固定に際して、固定位置の調整を容易に行うことができ、補助吸収具１を、適切な位置に迅速に固定することができる。機械的面ファスナーのオス部材としては、クラレ社製の「マジックテープ（登録商標）」等を用いることができる。尚、本補助吸収具１においては、機械的ファスナーのオス部材からなる縦長矩形状の固定手段４が、間隔を開けて複数配設されている。
【００１２】
使い捨て補助吸収具１における固定手段４は、使い捨ておむつ１０の不織布からなるサイドフラップ１１，１３の表面上に直接止着することができるが、使い捨ておむつ１０のサイドフラップ上に、機械的ファスナーのメス部材等の被止着部材を設け、その被止着部材に止着するようにしても良い。
【００１３】
使い捨て補助吸収具１は、図３に示すように、組み合わされる使い捨ておむつ１０のサイドフラップ１１，１３上に、使い捨ておむつ１０の周縁部１２からはみ出さないように固定可能になされている。
【００１４】
また、使い捨て補助吸収具１は、組み合わされる使い捨ておむつ１０の背側部Ａ又は腹側部Ｂのサイドフラップ１１上に、該サイドフラップ１１からはみ出さないように固定可能になされていることが好ましい。
ここで、背側部Ａ又は腹側部Ｂのサイドフラップ１１とは、使い捨ておむつ１０における背側部Ａ又は腹側部Ｂの一部を形成する部分であって、股下部Ｃにおける吸収体１７の左右の両側縁１７ａ，１７ａよりも幅方向の外方に位置する部分である。
【００１５】
使い捨て補助吸収具１は、おむつ着用時における漏れを効果的に防止し、また、取り扱い性やおむつ着用者に違和感を与えないようにする観点から、下記寸法等を有することが好ましい。
【００１６】
補助吸収具１の使い捨ておむつ１０の幅方向に一致させる方向（幅方向）の最大長さ（両側縁部１ａ，１ａ間の距離）Ｌ１は、使い捨ておむつ１０の幅方向の長さＬ２の５〜３５％、特に１５〜３０％であることが好ましく、使い捨ておむつ１０が成人用である場合、前記長さＬ１は、３〜３０ｃｍ、特に１０〜２５ｃｍであることが好ましい。
補助吸収具１の使い捨ておむつ１０の長手方向に一致させる方向（長手方向）の最大長さＬ３は、前記最大長さＬ１に対する比（Ｌ３／Ｌ１）が１．０〜４．０、特に１．２〜３．０であることが好ましく、使い捨ておむつ１０が成人用である場合、前記長さＬ３は、１０〜３７ｃｍ、特に１５〜３０ｃｍであることが好ましい。
【００１７】
また、補助吸収具１の厚みＴ（図２参照）は、０．０５〜３ｃｍ、特に０．１〜１．０ｃｍであることが好ましい。
また、補助吸収具１における、使い捨ておむつ１０の脚廻りに配されるレッグ部１４に近接させて配される縁部（下縁部１ｃ）は、長手方向の両側縁部１ａ，１ａに対する角度θが３０〜９０度であることが好ましい。
【００１８】
本実施形態の使い捨て補助吸収具１は、図３に示すように、好ましくは左右反転した形態の他の使い捨て補助吸収具１’と共に、使い捨ておむつ１０のサイドフラップ１１，１３に固定手段４を介して固定されて、該使い捨ておむつ１０と共に着用される。使い捨て補助吸収具１が固定された使い捨ておむつ１０の着用の仕方は、従来の使い捨ておむつと同じである。
【００１９】
このようにして、背側部Ａ又は腹側部Ｂのサイドフラップ１１，１３上に、使い捨て補助吸収具１，１’が、着脱自在に固定された使い捨ておむつ１０は、本発明の使い捨ておむつの好ましい一実施形態である。
即ち、本実施形態の使い捨ておむつは、背側部Ａ、腹側部Ｂ及びこれら両者間に位置する股下部Ｃを具備しており、少なくとも股下部Ｃには主たる吸収体１７を有しており、背側部Ａ又は腹側部Ｂのサイドフラップ１１，１３に、補助的吸収体としての使い捨て補助吸収具１，１’が脱着自在に固定されている。
本発明の使い捨ておむつにおいて、「主たる吸収体」とは、該おむつにおいて排泄物の大部分を吸収する目的で配された吸収体を意味し、吸収性能の補完や漏れ防止性能の向上のために用いられる補助的吸収体と区別される。また、主たる吸収体は、おむつの本体部分に着脱不可能に固定されていても良いし、着脱可能に固定されていても良い。
本発明の使い捨ておむつにおいては、補助的吸収体をサイドフラップに固定するための固定手段が、補助的吸収体にではなく、おむつのサイドフラップに設けられていても良い。
【００２０】
本実施形態の使い捨ておむつについて、更に説明すると、本使い捨ておむつは、液透過性の表面シート１５、液不透過性の防漏シート１６、及び両シート１５，１６間に介在された液保持性の吸収体１７を具備し、着用時に着用者の背側に配される背側部Ａの左右両側縁部にファスニングテープ１８，１８が設けられている、いわゆる展開型の成人用使い捨ておむつであり、背側部Ａ及び腹側部Ｂにおける表面シート１５及び防漏シート１６が、股下部Ｃにおける吸収体１７の長手方向の左右両側縁１７ａ，１７ａよりも幅方向の外方に延出し、延出した表面シート１５及び防漏シート１６が互いに貼り合わされ、背側部Ａ及び腹側部Ｂそれぞれにおける左右両側部にサイドフラップ１１，１３が形成されている。
【００２１】
本実施形態の使い捨て補助吸収具１によれば、このように、サイドフラップ１１に固定して使い捨ておむつ１０と共に着用するだけで、使い捨ておむつ１０のサイドフラップ１１に優れた吸収性能を付与でき、使い捨ておむつ１０の吸収性能及び漏れ防止性能を簡単に向上させることができる。特にサイドフラップに吸収体が存在しないか、又はサイドフラップに吸収体が存在していてもその上面が撥水性の表面材により覆われている使い捨ておむつに用いた場合に、吸収性能及び漏れ防止性能の向上効果が顕著である。
【００２２】
また、使い捨て補助吸収具１は、厚み方向に弾力性を有しており、使用時には、使い捨ておむつと着用者の肌との間又は使い捨ておむつにおける互いに重ね合わされた部分間に介装された状態となるため、ウエスト廻りのフィット性が向上すると共に、おむつ着用者の体圧が和らげられ、褥瘡の発生等が防止される。
また、本実施形態の使い捨ておむつは、斯かる使い捨て補助吸収具１，１’が着脱自在に固定されているため、吸収性能及び漏れ防止性能に優れており、しかもウエスト廻りのフィット性に優れている。
【００２３】
尚、吸収体２の形成素材としては、使い捨ておむつ、生理用ナプキン、補助吸収具等の吸収体に使用されている各種の公知の材料を用いることができ、液透過性の外層シート３の形成素材としては、使い捨ておむつ、生理用ナプキン等における表面シート等として従来用いられる各種の材料を用いることができる。
また、使い捨ておむつの各構成部材の形成材料としては、従来、使い捨ておむつに使用されている各種の材料を特に制限なく用いることができる。
【００２４】
本発明の使い捨て補助吸収具及び使い捨ておむつは、上述した実施形態に制限されることなく、本発明の趣旨を逸脱しない限り適宜変更が可能である。
例えば、吸収体２の表裏面は、図４（ａ）に示すように、吸収体２の一側縁部２１で折り返した液透過性の１枚の外層シート３により被覆されていても良い。また、吸収体２の表裏面が二枚の外層シート３により被覆されている場合、一方の面を被覆した外層シート３Ａと他方の面を被覆した外層シート３Ｂとが、図４（ｂ）に示すように、吸収体２の全周における周縁部外方において貼り合わされていても良い。また、吸収体２の一方の面又は両面を被覆する液透過性の外層シートは、複数のシート材が積層された積層シートであっても良い。
【００２５】
また、固定手段の種類や形態、設ける個数等も適宜変更することができる。例えば、固定手段を、表面に粘着剤が塗布されてなる粘着テープとすることもできる。更に、使い捨て補助吸収具（補助吸収体）１の平面視形状は、矩形状、楕円状、三角形状等、任意の形状とすることができる。
【００２６】
また、本発明の使い捨て補助吸収具の使用形態は、上述した使用形態に限定されず、組み合わせる使い捨ておむつの構成、対象となる着用者（幼児／成人）及び補助吸収具の固定位置（腹側部のサイドフラップ／背側部のサイドフラップ）等を適宜変更することができる。
例えば、使い捨て補助吸収具１は、図３に示すように着用時に着用者の腹側に配される腹側部Ｂにおける左右のサイドフラップ１１，１１に固定するのに代え、おむつの背側部Ａにおける左右のサイドフラップ１３，１３に固定して用いても良い。
【００２７】
【発明の効果】
本発明の使い捨て補助吸収具は、使い捨ておむつと併用することにより、使い捨ておむつの吸収性能及び漏れ防止性能を容易に向上させることができ、また、ウエスト廻りのフィット性を容易に向上させることができるものである。
本発明の使い捨ておむつは、吸収性能及び漏れ防止性能に優れ、ウエスト廻りのフィット性にも優れたものである。
【図面の簡単な説明】
【図１】本発明の使い捨て補助吸収具の一実施形態を示す図で、（ａ）は、着用時に着用者の肌側に向けられる面側を一部破断して示す図、（ｂ）は着用時におむつのサイドフラップに当接される面側を示す図である。
【図２】図１のＸ−Ｘ線断面図である。
【図３】図１に示す使い捨て補助吸収具を、左右反転した形態の他の実施形態の使い捨て補助吸収具と共に、使い捨ておむつの腹側部における左右のサイドフラップに固定する様子を示す斜視図である。
【図４】本発明の使い捨て補助吸収具の他の実施形態を示す図（図２相当図）である。
【符号の説明】
１  使い捨て補助吸収具
２  吸収体
３、３Ａ、３Ｂ  外層シート
４  機械的面ファスナーのオス部材（固定手段）
１０  使い捨ておむつ
１１，１３  サイドフラップ
【図１】
0004130052.tif 000002
【図２】
0004130052.tif 000003
【図３】
0004130052.tif 000004
【図４】
0004130052.tif 000005